(57)【要約】【課題】再生中のコンテンツデータの属性を表示する再生画面において、再生中のコンテンツデータ以外の再生対象のコンテンツデータをユーザに把握させる情報を効率的に表示できる電子機器を提供する。【解決手段】再生画面ＤＩＳＰ１は、再生リスト欄６１と再生曲属性欄６２とを有する。再生リスト欄６１は、予め決定した再生順で楽曲データのタイトル名データを表示する。再生曲属性欄６２は、再生中の楽曲データのタイトル名データ、アーティスト名データ、アルバム名データを表示する。【選択図】  図４
2006323941.tif 000002
【特許請求の範囲】
【請求項１】
複数の属性の各々に関して属性項目が割り当てられたコンテンツデータの再生画面を表示するデータ処理方法であって、
所定の前記属性に関して、複数の前記コンテンツデータのそれぞれに割り当てられた属性項目を表示する第１の工程と、
前記第１の工程で表示した前記属性項目を指定した再生指示を受けると、前記第１の工程で表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を表示する第２の工程と
を有するデータ処理方法。
【請求項２】
前記複数の属性のうち一つの属性を選択するための画面を表示する第３の工程
をさらに有し、
前記第１の工程は、前記第３の工程で選択された前記所定の属性に関して、複数の前記コンテンツデータのそれぞれに割り当てられた属性項目を表示する
請求項１に記載のデータ処理方法。
【請求項３】
前記第２の工程で前記再生画面の前記第１の欄に前記属性項目を配置した順に従って、前記複数のコンテンツデータを再生する第３の工程
をさらに有する請求項１に記載のデータ処理方法。
【請求項４】
ユーザの操作に応じて、前記再生画面の前記第１の欄内の前記属性項目の配置を変更する第４の工程
をさらに有し、
前記第３の工程は、前記第４の工程で変更された後の前記属性項目の配置に応じた順で前記コンテンツデータを再生する
請求項１に記載のデータ処理方法。
【請求項５】
前記第１の工程は、シャッフル再生が指定されている場合に、複数の前記属性項目の再生順をランダムに決定し、当該決定した再生順で前記属性項目を順に配置した前記第１の欄を表示する
請求項１に記載のデータ処理方法。
【請求項６】
前記第２の欄に表示した前記属性項目を指定することで、当該指定した属性項目が対応付けられた複数の前記コンテンツデータのタイトル名データを再生順で前記第１の欄に表示する第５の工程
をさらに有する請求項１に記載のデータ処理方法。
【請求項７】
複数の属性の各々に関して属性項目が割り当てられたコンテンツデータの再生画面を表示する電子機器であって、
前記コンテンツデータを再生処理する再生手段と、
ディスプレイと、
所定の前記属性に関して、複数の前記コンテンツデータのそれぞれに割り当てられた属性項目を表示し、当該表示した前記属性項目を指定した再生指示を受けると、前記表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を前記ディスプレイに表示し、前記再生手段が再生処理する前記コンテンツデータを指定する制御回路と
を有する電子機器。
【請求項８】
複数の属性の各々に関して属性項目が割り当てられたコンテンツデータの再生画面を表示する電子機器が実行するプログラムであって、
所定の前記属性に関して、複数の前記コンテンツデータのそれぞれに割り当てられた属性項目を表示する第１の手順と、
前記第１の手順で表示した前記属性項目を指定した再生指示を受けると、前記第１の手順で表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を表示する第２の手順と
を前記電子機器に実行させるプログラム。
【請求項９】
複数の属性の各々に関して属性項目が割り当てられたコンテンツデータの再生画面を表示するデータ処理方法であって、
所定の単数の前記属性に関して複数の前記コンテンツデータのそれぞれに割り当てられた属性項目を示す第１の欄と、再生中の前記コンテンツデータに割り当てられた複数の属性の前記属性項目を示す第２の欄と有する再生画面を表示する工程
を有するデータ処理方法。
【発明の詳細な説明】
【技術分野】
【０００１】
本発明は、コンテンツデータの再生画面を表示するデータ処理方法、電子機器およびプログラムに関する。
【背景技術】
【０００２】
近年、記録メディアの大容量化、並びに音楽、動画、静止画などの圧縮技術の発達により、携帯型オーディオプレーヤの記録メディアに膨大な数の楽曲データを記憶できる。
このような携帯型オーディオプレーヤは、液晶ディスプレイなどを備えているが、スペース的な制約により、再生中の楽曲データのタイトル名、アーティスト名、アルバム名などの属性名のみを再生画面に表示する。
【０００３】
【特許文献１】特開２００１−７６４１５号公報
【発明の開示】
【発明が解決しようとする課題】
【０００４】
しかしながら、上述した携帯型オーディオプレーヤには、再生中の楽曲データのみならず、その後に再生する楽曲データを再生画面から把握したいという要請がある。
同様な要請は、楽曲データ以外の映像データなどのコンテンツデータを再生するプレーヤにもある。
【０００５】
本発明は上述した従来技術の問題点を解決するために、再生中のコンテンツデータの属性を表示する再生画面において、再生中のコンテンツデータ以外の再生対象のコンテンツデータをユーザに把握させる情報を効率的に表示できるデータ処理方法、電子機器およびプログラムを提供することを目的とする。
【課題を解決するための手段】
【０００６】
上述した従来技術の問題点を解決し、上述した目的を達成するために、第１の観点の発明のデータ処理方法は、複数の属性の各々に関して属性項目が割り当てられたコンテンツデータの再生画面を表示するデータ処理方法であって、所定の前記属性に関して、複数の前記コンテンツデータのそれぞれに割り当てられた属性項目を表示する第１の工程と、前記第１の工程で表示した前記属性項目を指定した再生指示を受けると、前記第１の工程で表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を表示する第２の工程とを有する。
【０００７】
第２の観点の発明の電子機器は、複数の属性の各々に関して属性項目が割り当てられたコンテンツデータの再生画面を表示する電子機器であって、前記コンテンツデータを再生処理する再生手段と、ディスプレイと、所定の前記属性に関して、複数の前記コンテンツデータのそれぞれに割り当てられた属性項目を表示し、当該表示した前記属性項目を指定した再生指示を受けると、前記表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を前記ディスプレイに表示し、前記再生手段が再生処理する前記コンテンツデータを指定する制御回路とを有する。
【０００８】
第３の発明のプログラムは、複数の属性の各々に関して属性項目が割り当てられたコンテンツデータの再生画面を表示する電子機器が実行するプログラムであって、所定の前記属性に関して、複数の前記コンテンツデータのそれぞれに割り当てられた属性項目を表示する第１の手順と、前記第１の手順で表示した前記属性項目を指定した再生指示を受けると、前記第１の手順で表示した前記属性項目、あるいは前記再生指示で指定された前記属性項目が割り当てられた複数の前記コンテンツデータに割り当てられた他の前記属性項目を示す第１の欄と、再生中の前記コンテンツデータに割り当てられた複数の属性の前記属性項目を示す第２の欄と有する再生画面を表示する第２の手順とを前記電子機器に実行させる。
【０００９】
第４の観点の発明のデータ処理方法は、複数の属性の各々に関して属性項目が割り当てられたコンテンツデータの再生画面を表示するデータ処理方法であって、所定の単数の前記属性に関して複数の前記コンテンツデータのそれぞれに割り当てられた属性項目を示す第１の欄と、再生中の前記コンテンツデータに割り当てられた複数の属性の前記属性項目を示す第２の欄と有する再生画面を表示する工程を有する。
【発明の効果】
【００１０】
本発明によれば、再生中のコンテンツデータの属性を表示する再生画面において、再生中のコンテンツデータ以外の再生対象のコンテンツデータをユーザに把握させる情報を効率的に表示できるデータ処理方法、電子機器およびプログラムを提供することができる。
【発明を実施するための最良の形態】
【００１１】
以下、本発明の実施形態の携帯型オーディオプレーヤを説明する。
＜第１実施形態＞
先ず、本実施形態の構成要素と、本発明の構成要素との対応関係を説明する。
本実施形態の楽曲データが、本発明のコンテンツデータの一例である。
また、本実施形態のジャンル、アーティスト、アルバムおよびトラックが本発明の属性の一例であり、それぞれの属性の項目が本発明の属性項目の一例である。
また、図４に示す再生リスト欄６１が本発明の第１の欄の一例であり、再生曲属性欄６２が本発明の第２の欄の一例である。
【００１２】
以下、本発明の実施形態に係わるデータ処理装置について説明する。
図１は、本発明の実施形態に係わる携帯型オーディオプレーヤ１の構成図である。
図１に示すように、携帯型オーディオプレヤー１は、例えば、ＵＳＢ(Universal Serial Bus)インタフェース１１、ＳＤＲＡＭ(Synchronous DRAM)１２、ＨＤＤ(Hard Disk Drive) １３、ＬＣＤ(Liquid Crystal Display)パネル１４、入力デバイス１５、フラッシュメモリ１６、ＣＰＵ(Central Processing Unit) １７およびオーディオ出力回路１８を有する。
ＵＳＢインタフェース１１、ＳＤＲＡＭ１２、ＨＤＤ１３、フラッシュメモリ１６、ＣＰＵ１７およびオーディオ出力回路１８は、例えば、データ線１０を介して接続されている。
【００１３】
ＵＳＢインタフェース１１は、パーソナルコンピュータ３と接続され、パーソナルコンピュータ３との間でデータ入出力を行う。
ＳＤＲＡＭ１２は、ＣＰＵ１７の処理に係わるデータ等を一時的に記憶する。
【００１４】
ＨＤＤ１３は、圧縮された（または非圧縮の）楽曲データ（音楽データ）を記憶する。
当該楽曲データは、ＵＳＢインタフェース１１を介してパーソナルコンピュータ３からＨＤＤ１３に書き込まれる。
ＨＤＤ１３は、例えば、２０ＧＢの記憶容量を有し、ＡＴＲＡＣ(Adaptive Transfrom Acoustic Coding)３等で圧縮された約１００００曲（コンパクトディスク７００枚分）の楽曲データを記憶可能である。
ＨＤＤ１３に記憶された楽曲データ（以下、単に楽曲データとも記す）の各々には、図２に示すように、その識別データＭ＿ＩＤ、アーティスト名データＡＲ＿Ｎ、アルバム名データＡＬ＿Ｎ、並びにトラック名データＴ＿Ｎが、管理データＴＡＢＬＥによって対応付けられている。
管理データＴＡＢＬＥは、ＨＤＤ１３に記憶され、例えば、携帯型オーディオプレーヤ１の起動時にＳＤＲＡＭ１２に読み出される。
【００１５】
ＬＣＤパネル１４は、図３（Ｂ）に示すように、携帯型オーディオプレーヤ１の筐体の正面に設けられている。
ＬＣＤパネル１４には、ＣＰＵ１７によって種々の画面が表示される。
ＬＣＤパネル１４に表示される主な画面としては、例えば、メニュー画面、選曲画面、設定画面および再生画面などがあり、ユーザのキー操作に応じてこれらの画面が切り替わる（遷移する）。
また、ＬＣＤパネル１４は、タッチパネルであり、ユーザが指などによって接触した画面上の位置を検出し、その位置を示す検出位置信号Ｓ１４をＣＰＵ１７に出力する。
ＬＣＤパネル１４は、例えば、有機ＥＬディスプレイ（organic electroluminescence display）であってもよい。
【００１６】
入力デバイス１５は、図３に示すように、携帯型オーディオプレーヤ１の筐体に設けられ、ユーザによって操作される種々のキーである。
また、入力デバイス１５は、ＬＣＤパネル１４のタッチパネル機能より、データを入力する。
図３（Ａ）に示すように、携帯型オーディオプレーヤ１の一方の側面には、ヘッドフォン端子２１と、ＨＯＬＤキー３２とが配設されている。
図３（Ｂ）に示すように、携帯型オーディオプレーヤ１の正面には、ＬＣＤパネル１４と、ＢＡＣＫキー３８と、十字キー３７と、ＶＩＥＷキー３９と、ＭＯＤＥキー４０と配設されている。
十字キー３７は、カーソルを画面上に移動する十字上キー３７ａ、カーソルを画面左（下位階層）に移動する十字左キー３７ｂ、カーソルを画面下に移動する十字下キー３７ｃ、カーソルを画面右（上位階層）に移動する十字右キー３７ｄ、再生指示などの決定指示を入力する十字決定キー３７ｅとを有する。
図３（Ｃ）に示すように、携帯型音楽プレーヤ１の側面には、早戻しキー３４と、再生・一時停止キー３５と、早送りキー３６と、音量調整ダイヤル３３とが配設されている。
【００１７】
フラッシュメモリ１６は、例えば、ＣＰＵ１７の動作を規定したプログラムＰＲＧを記憶する。
【００１８】
オーディオ出力回路１８は、ＣＰＵ１７が復号した楽曲データに応じたオーディオ信号をヘッドフォン端子２１に出力する。
【００１９】
ＣＰＵ１７は、フラッシュメモリ１６から読み出したプログラムＰＲＧを基に、本実施形態で説明する携帯型オーディオプレヤー１の動作を統括的に制御する。
また、ＣＰＵ１７は、選択された楽曲データをＨＤＤ１３から読み出して復号し、これをオーディオ出力回路１８に出力する。
【００２０】
ＣＰＵ１７は、例えば、図４に示す再生画面ＤＩＳＰ１をＬＣＤパネル１４に表示する。
図４に示すように、再生画面ＤＩＳＰ１は、例えば、設定欄６０、再生リスト欄６１、再生曲属性欄６２を有する。
図４に示すように、設定欄６０は、例えば、プレイモード画像５１、サウンド画像５２、音量調整画像５３を有する。
プレイモード画像５１は、例えば、指定されている再生モードを示す画像である。再生モードとしては、例えば、アーティスト再生モード、アルバム再生モード、シャッフル再生モードなどがある。
サウンド画像５２は、指定されたサウンドを示す画像である。本実施形態では、サウンドとして、例えば、ノーマル、ポップス、ジャズ、スタジオ、ライブなどを指定できる。
音量調整画像５３は、指定された音量を示す画像である。
【００２１】
再生リスト欄６１は、指定された再生モードにおいて再生対象として選択された複数の楽曲データのタイトル名データを順に表示（配置）している。
また、再生リスト欄６１は、各タイトル名データに対応付けて、その楽曲データの再生時間データを表示する。
再生リスト欄６１内の現在再生中の楽曲データのタイトル名データおよび再生時間データ上にカーソル画像５９が表示される。
また、再生リスト欄６１は、画面右端に、カーソル画像５９を画面上方向に移動させる機能ボタン画像５６、画面下方向に移動させる機能ボタン画像５７、並びにドラッグすることによりカーソル画像５９を移動させる機能ボタン画像５５とを有する。
【００２２】
ＣＰＵ１７は、再生対象の楽曲データの数が所定数以上の場合には、現在再生中の楽曲データに対して再生順が前後所定数の複数の楽曲データのタイトル名データを再生リスト欄６１に表示する。
【００２３】
再生曲属性欄６２は、現在再生中の楽曲データのタイトル名データ、アーティスト名データ、アルバム名データなどを表示する。
また、再生曲属性欄６２は、例えば、情報表示画像６５およびメニュー表示画像６６を表示する。
情報表示画像６５は、例えば、指定されると、再生中の楽曲データについての所定の情報を表示させるための画像である。
メニュー表示画像６６は、指定されると、メニュー画面に遷移するための画像である。  再生曲属性欄６２の画面最下端には、レーティング６７と、再生位置画像６８とが表示される。
レーティング６７は、ユーザが好みなどに応じて付けた評価情報である。
再生位置画像６８は、再生中の楽曲データの総再生時間に対する現在の再生タイミングを示す画像である。
【００２４】
ところで、ＣＰＵ１７は、例えば、図５に示すように、アルバム一覧画面ＤＩＳＰ１１上でカーソル画像が移動され、アルバムが指定された状態で再生指示を入力すると、当該アルバムに属する楽曲データを最初から順に再生する。
このとき、ＣＰＵ１７は、例えば、図５に示す再生画面ＤＩＳＰ１２をＬＣＤパネル１４に表示する。
再生画面ＤＩＳＰ１２は、図５に示すように、アルバム一覧画面ＤＩＳＰ１１で表示したアルバム一覧の一部を示す再生リスト欄６１ａと、再生中の楽曲データの再生曲属性欄６２ａとを表示している。
すなわち、この例では、ＣＰＵ１７は、再生指示が入力されたタイミングでＬＣＤパネル１４に表示していた属性に関する画面を再生リスト欄６１ａに表示している。
例えば、ＣＰＵ１７は、ジャンルやアーティストによる検索（選曲）画面上で再生指示が出された場合には、ジャンルやアーティストに関する画面を再生リスト欄６１ａに表示する。
なお、ＣＰＵ１７は、例えば、図５に示す再生画面ＤＩＳＰ１３をＬＣＤパネル１４に表示する。
再生画面ＤＩＳＰ１３は、図５に示すように、指定されたアルバムに属する楽曲データのタイトル名データを示す再生リスト欄６１ｂと、再生中の楽曲データの再生曲属性欄６２ａとを表示している。
【００２５】
以下、図１に示す携携帯型オーディオプレーヤ１の動作例を説明する。
［第１の動作例］
本動作例では、再生指示があった場合を説明する。
図６は、図１に示す携帯型オーディオプレーヤ１の動作例を説明するためのフローチャートである。
ステップＳＴ１１：
ＣＰＵ１７は、再生指示を入力したと判断するとステップＳＴ１２に進む。
なお、再生指示は、例えば、ＣＰＵ１７が、所定の検索画面をＬＣＤパネル１４に表示中に、所定の階層において、図３に示す十字決定キー３７ｅが操作されることで発生する。
または図３（Ｃ）に示す本体側面にある再生・一時停止キー３５を押すことで再生指示を行う。
ＣＰＵ１７は、例えば、ユーザの操作に応じて、例えば、アーティスト一覧、図５に示すアルバム一覧画面、ジャンル一覧画面、トラック一覧画面などの検索画面を順にＬＣＤパネル１４に表示する。
そして、ＣＰＵ１７は、これらのいずれかの検索画面で属性項目（アーティスト、アルバム、ジャンル、トラックなど）が指定された状態で再生指示を入力する。
【００２６】
ステップＳＴ１２：
ＣＰＵ１７は、例えば、図３に示すＭＥＮＵキー４０などによって設定されたプレイモード、並びにステップＳＴ１１の再生指示が入力された検索画面上の階層位置などを基に、再生対象の楽曲データ、並びにそれらの再生順を決定する。
ＣＰＵ１７は、例えば、検索画面上で所定のアーティスト名を指定した状態で、再生指示が入力された場合に、当該アーティスト名に対応する楽曲データを所定の順（例えば、リリース日順）に再生することを決定する。
また、ＣＰＵ１７は、シャッフルモードが指定された状態で、再生指示を入力した場合には、ＨＤＤ１３に記憶された全ての楽曲データを対象に、その再生順をランダムに決定する。
【００２７】
ステップＳＴ１３：
ＣＰＵ１７は、ステップＳＴ１２で決定した再生順で、楽曲データのタイトル名データおよび再生時間データを、図４に示す再生画面ＤＩＳＰ１の再生リスト欄６１に表示する。
【００２８】
ステップＳＴ１４：
ＣＰＵ１７は、ステップＳＴ１２で決定した再生順に従い、次に再生する楽曲データを特定し、当該楽曲データの再生（復号）を開始し、復号データをオーディオ出力回路１８に出力する。
【００２９】
ステップＳＴ１５：
ＣＰＵ１７は、図４に示すように、再生リスト欄６１内の現在再生中の楽曲データのタイトル名データおよび再生時間データ上にカーソル画像５９を位置させる。
【００３０】
ステップＳＴ１６：
ＣＰＵ１７は、楽曲データの再生を終了したか否かを判断し、終了したと判断するとステップＳＴ１４に戻る。
【００３１】
［第２の動作例］
当該動作例では、図４に示す再生画面ＤＩＳＰ１の再生リスト欄６１において、ユーザによるタッチパネルの操作に応じて、所定のタイトル名データがドラッグ移動、あるいは削除指示された場合を説明する。
図７は、当該動作例を説明するためのフローチャートである。
ステップＳＴ２１：
ＣＰＵ１７は、ＬＣＤパネル１４のタッチパネル機能に応じた操作信号を基に、図４に示す再生画面ＤＩＳＰ１の再生リスト欄６１上で、タイトル名データがドラッグ移動されたか否かを判断し、されたと判断するとステップＳＴ２２に進む。
【００３２】
ステップＳＴ２２：
ＣＰＵ１７は、ステップＳＴ２１のドラッグ移動後に、ドロップ操作が行われた位置に対応させて、楽曲データの再生順を変更する。
【００３３】
ステップＳＴ２３：
ＣＰＵ１７は、再生リスト欄６１上に表示したタイトル名データに対して削除指示が出されたか否かを判断し、削除指示が出されたと判断するとステップＳＴ２４に進む。
当該削除指示は、例えば、再生リスト欄６１上で削除対象のタイトル名データをカーソル画像５９で指定した状態で再生リスト欄６１の画面左方向にドラッグ移動したり、あるいは、再生画面ＤＩＳＰ１上に所定のゴミ箱画像を表示し、そのゴミ箱画像上にドラッグ・ドロップ操作することで発生してもよい。
【００３４】
ステップＳＴ２４：
ＣＰＵ１７は、ステップＳＴ２３で削除指示が出されたタイトル名データを、再生順のリストから削除する。
【００３５】
［第３の動作例］
当該動作例では、図４に示す再生曲属性欄６２上でアーティスト画像（ＡＲ＿１）、アルバム画像（ＡＬ＿１）が指定された場合を説明する。
図８は、当該動作例を説明するためのフローチャートである。
ステップＳＴ３１：
ＣＰＵ１７は、ＬＣＤパネル１４のタッチパネル機能に応じた操作信号を基に、図４に示す再生画面ＤＩＳＰ１の再生曲属性欄６２上で、アーティスト画像が指定されたか否かを判断し、指定されたと判断するとステップＳＴ３２に進む。
【００３６】
ステップＳＴ３２：
ＣＰＵ１７は、例えば、シャッフル再生をしているときに、現在再生中の楽曲データのアーティストを特定し、ＨＤＤ１３に記憶されている楽曲データのうち、上記特定したアーティストの楽曲データのみを再生対象とすることを決定する。
ＣＰＵ１７は、上記決定に伴い、再生リスト欄６１に、上記特定したアーティストの楽曲データのタイトル名データを再生順に表示する。
【００３７】
ステップＳＴ３３：
ＣＰＵ１７は、ＬＣＤパネル１４のタッチパネル機能に応じた操作信号を基に、図４に示す再生画面ＤＩＳＰ１の再生曲属性欄６２上で、アルバム画像が指定されたか否かを判断し、指定されたと判断するとステップＳＴ３４に進む。
【００３８】
ステップＳＴ３４：
ＣＰＵ１７は、例えば、シャッフル再生をしているときに、現在再生中の楽曲データのアルバムを特定し、ＨＤＤ１３に記憶されている楽曲データのうち、上記特定したアルバムの楽曲データのみを再生対象とすることを決定する。
ＣＰＵ１７は、上記決定に伴い、再生リスト欄６１に、上記特定したアルバムの楽曲データのタイトル名データを再生順に表示する。
【００３９】
以上説明したように、携帯型オーディオプレーヤ１では、図４に示すように、再生曲属性欄６２に再生中の楽曲データのタイトル名データ、アーティスト名データおよびアルバム名データを表示する他、再生リスト欄６１に再生対象の楽曲データの一覧を表示する。
再生リスト欄６１には、現在再生中の楽曲データの後に再生予定の楽曲データ、並びに既に再生を終えた楽曲データのタイトル名データが表示される。
そのため、携帯型オーディオプレーヤ１によれば、ユーザは、現在再生中の楽曲データの後に再生予定の楽曲データを知ることができ、次に再生する楽曲データが好み出ない場合には、それを再生する前にスキップ操作などをすることができる。
【００４０】
また、携帯型オーディオプレーヤ１では、再生リスト欄６１内には再生対象の複数の楽曲データのタイトル名データおよび再生時間データ（一部の属性データ）のみを表示し、再生曲属性欄６２内には再生中の楽曲データの全ての属性データを表示する。
これにより、ＬＣＤパネル１４の限られたサイズを、ユーザに有用な情報を表示する観点から効果的に活用できる。
【００４１】
また、携帯型オーディオプレーヤ１では、図６に示すように、シャッフル再生においても、ステップＳＴ１２で再生順をランダムに決定した後に、それを再生リスト欄６１に表示する。これにより、ユーザは、ランダムに選択された楽曲データを、その再生前に再生順を把握し、その曲が気に入らないような場合は、再生対象から外すことも可能になる。
【００４２】
また、携帯型オーディオプレーヤ１によれば、再生リスト欄６１上でユーザがタイトル名データに対してドラッグおよびドロップなどの操作をすることで、再生順の変更、並びに再生リストからの楽曲データの削除を行うことができる。これにより、ユーザの好みに合った再生が可能になる。
【００４３】
また、携帯型オーディオプレーヤ１によれば、図８に示す処理により、例えば、ユーザがシャッフル再生により、ランダムに楽曲データを再生しているときに、気に入った楽曲データがあった場合に、その後、そのアーティストあるいはそのアルバムの楽曲データを連続して再生することができる。
【００４４】
＜第２実施形態＞
本実施形態は、第４の観点の発明の一例である。
本実施形態の携帯型オーディオプレーヤ１は、図１に示すＣＰＵ１７の処理の一部を除いて第１実施形態と同じである。
上述した第１実施形態では、図４に示すように、図４に示すように、再生リスト欄６１と再生曲属性欄６２とを個別の領域として配置した再生画面ＤＩＳＰ１をＬＣＤパネル１４に表示した。
本実施形態では、ＣＰＵ１７ａは、図９に示すように、再生リスト欄１６１内に、再生曲属性欄１６２を配置した再生画面ＤＩＳＰ１１をＬＣＤパネル１４に表示する。
【００４５】
図９に示すように、再生リスト欄１６１は、指定された再生モードにおいて再生対象として選択された複数の楽曲データのタイトル名データを順に表示（配置）している。
また、再生リスト欄１６１は、各タイトル名データに対応付けて、その楽曲データの再生時間データを表示する。
再生リスト欄１６１内の現在再生中の楽曲データのタイトル名データおよび再生時間データ上にカーソル画像５９が表示される。
また、再生リスト欄１６１は、画面右端に、第１実施形態の場合と同様に、カーソル画像５９を画面上方向に移動させる機能ボタン画像５６、画面下方向に移動させる機能ボタン画像５７、並びにドラッグすることによりカーソル画像５９を移動させる機能ボタン画像５５とを有する。
【００４６】
再生曲属性欄１６２は、再生リスト欄１６１に表示された現在再生中の楽曲データのタイトル名データの画面下に隣接して再生リスト欄１６１内に表示され、アーティスト名データ、アルバム名データなどを表示する。
【００４７】
以下、本実施形態の携帯型オーディオプレーヤの再生指示があった場合の動作例を説明する。
図１０は、本実施形態の携帯型オーディオプレーヤの動作例を説明するためのフローチャートである。
ステップＳＴ４１：
ＣＰＵ１７ａは、再生指示を入力したと判断するとステップＳＴ４２に進む。
【００４８】
ステップＳＴ４２：
ＣＰＵ１７ａは、例えば、図３に示すＭＯＤＥキー４０などによって設定されたプレイモード、並びにステップＳＴ４１の再生指示が入力された検索画面上の階層位置などを基に、再生対象の楽曲データ、並びにそれらの再生順を決定する。
ＣＰＵ１７ａは、例えば、検索画面上で所定のアーティスト名を指定した状態で、再生指示が入力された場合に、当該アーティスト名に対応する楽曲データを所定の順（例えば、リリース日順）に再生することを決定する。
また、ＣＰＵ１７ａは、シャッフルモードが指定された状態で、再生指示を入力した場合には、ＨＤＤ１３に記憶された全ての楽曲データを対象に、その再生順をランダムに決定する。
【００４９】
ステップＳＴ４３：
ＣＰＵ１７ａは、ステップＳＴ４２で決定した再生順で、楽曲データのタイトル名データおよび再生時間データを、図９に示す再生画面ＤＩＳＰ１１の再生リスト欄１６１に表示する。
【００５０】
ステップＳＴ４４：
ＣＰＵ１７ａは、ステップＳＴ４２で決定した再生順に従い、次に再生する楽曲データを特定し、当該楽曲データの再生（復号）を開始し、復号データをオーディオ出力回路１８に出力する。
【００５１】
ステップＳＴ４５：
ＣＰＵ１７ａは、図９に示すように、再生リスト欄１６１内の現在再生中の楽曲データのタイトル名データおよび再生時間データの下側に隣接して、当該楽曲データのアーティスト名データおよびアルバム名データを示す再生曲属性欄１６２を表示する。
また、ＣＰＵ１７ａは、既に再生が終了した楽曲データの再生曲属性欄１６２を非表示にする。
【００５２】
ステップＳＴ４６：
ＣＰＵ１７ａは、楽曲データの再生を終了したか否かを判断し、終了したと判断するとステップＳＴ４４に戻る。
【００５３】
本実施形態によっても、第１実施形態と同様の効果が得られる。
【００５４】
本発明は上述した実施形態には限定されない。
上述した実施形態では、本発明を携帯型オーディオプレーヤに適用した場合を例示したが、本発明はパーソナルコンピュータなどの携帯型以外の装置にも適用可能である。
また、上述した実施形態では、本発明のコンテンツデータとして、楽曲データなどのオーディオデータを例示したが、ビデオや写真などのイメージデータでもよい。
また、本発明において、コンテンツデータを記憶する記録手段として、図１に示すＨＤＤ１３の代わりに、ＭＤ（登録商標）などの光磁気記録媒体、ＣＤ−Ｒ(CD-recordable)やＤＶＤ−Ｒ(DVD-recordable) などの光記録媒体、メモリースティック（登録商標）やＳＤカード（登録商標）などの半導体メモリなどを用いてもよい。
また、本発明は、パーソナルコンピュータ、コンパクトディスクなどの光ディスク再生装置、光磁気ディスク再生装置などに適用してもよい。
【図面の簡単な説明】
【００５５】
【図１】図１は、本発明の実施形態に係わる携帯型オーディオプレーヤの構成図である。
【図２】図２は、図１に示す携帯型オーディオプレーヤが記憶する楽曲データに割り当てられている属性を説明するための図である。
【図３】図３は、図１に示す携帯型オーディオプレーヤの概観図である。
【図４】図４は、図１に示すＬＣＤパネルに表示される再生画面を説明するための図である。
【図５】図５は、図１に示すＬＣＤパネルに表示される再生画面を説明するための図である。
【図６】図６は、図１に示す携帯型オーディオプレーヤにおける再生指示があった場合の動作例を説明するためのフローチャートである。
【図７】図７は、図４に示す再生画面ＤＩＳＰ１の再生リスト欄において、ユーザによるタッチパネルの操作に応じて、所定のタイトル名データがドラッグ移動、あるいは削除指示された場合を携帯型オーディオプレーヤ１の動作例を説明するためのフローチャートである。
【図８】図８は、図４に示す再生曲属性欄上でアーティスト画像（ＡＲ＿１）、アルバム画像（ＡＬ＿１）が指定された場合の携帯型オーディオプレーヤの動作例を説明するためのフローチャートである。
【図９】図９は、本発明の第２実施形態の携帯型オーディオプレーヤの再生画面を説明するための図である。
【図１０】図１０は、図９に示す携帯型オーディオプレーヤの再生画面表示動作を説明するためのフローチャートである。
【符号の説明】
【００５６】
１…携帯型オーディオプレーヤ、１１…ＵＳＢインタフェース、１２…ＳＤＲＡＭ、１３…ＨＤＤ、１４…ＬＣＤパネル、１５…入力デバイス、１６…フラッシュメモリ、１７，１７ａ…ＣＰＵ、１８…オーディオ出力回路、２１…ヘッドフォン端子、３８…ＢＡＣＫキー、３７…十字キー３７、３９…ＶＩＥＷキー、４０…ＭＥＮＵキー、３４…早戻しキー、３５…再生・一時停止キー、３６…早送りキー
【図１】
2006323941.tif 000003
【図２】
2006323941.tif 000004
【図３】
2006323941.tif 000005
【図４】
2006323941.tif 000006
【図５】
2006323941.tif 000007
【図６】
2006323941.tif 000008
【図７】
2006323941.tif 000009
【図８】
2006323941.tif 000010
【図９】
2006323941.tif 000011
【図１０】
2006323941.tif 000012